(57)【要約】【課題】ストリームコンテンツとテレビジョン放送とを容易に切り替えて視聴可能とする。【解決手段】本発明によれば、ネットワークを介してストリーム放送を受信している際に、テレビジョン放送へのチャンネル切り替えの指示があった場合、テレビジョン放送に係る映像へ表示を切り替えると共に、ストリーム放送の受信を一時中断する構成とした。【選択図】　　　図１
2004120089.tif 000002
【特許請求の範囲】
【請求項１】
ネットワークを介してストリーム放送を受信する通信手段と、
テレビジョン放送を受信する受信手段と、
前記ストリーム放送に係る映像データと前記テレビジョン放送に係る映像データとを表示装置に出力する出力手段と、
放送チャンネルの切り替えを指示する切り替え指示手段と、
前記ストリーム放送の受信中における、前記切り替え指示手段による前記テレビジョン放送へのチャンネル切り替えの指示に応じて、前記受信手段により受信されたテレビジョン放送に係る映像データを前記表示装置に出力するよう前記出力手段を制御すると共に、前記ストリーム放送の受信を一時中断するよう前記通信手段を制御する制御手段とを備える受信装置。
【請求項２】
前記出力手段は前記ストリーム放送に係る映像データと前記テレビジョン放送に係る映像データのうちの一方を選択して前記表示装置に出力することを特徴とする請求項１記載の受信装置。
【請求項３】
前記制御手段は、前記切り替え指示手段による前記テレビジョン放送へのチャンネル切り替えの指示に応じて、前記ストリーム放送に係る映像データに代わって前記テレビジョン放送に係る映像データを出力するよう前記出力手段を制御することを特徴とする請求項２記載の受信装置。
【請求項４】
前記制御手段は更に、前記切り替え指示手段による前記テレビジョン放送から前記ストリーム放送へのチャンネル切り替えの指示に応じて、前記ストリーム放送の受信を前記中断された位置より再開するよう前記通信手段を制御すると共に、前記通信手段により受信が再開されたストリーム放送に係る映像データを出力するよう前記出力手段を制御することを特徴とする請求項１記載の受信装置。
【請求項５】
前記切り替え指示手段は前記ストリーム放送への切り替えを指示するための単一の操作キーを有し、この単一の操作キーの操作に応じて前記ストリーム放送へのチャンネル切り替えの指示を出力することを特徴とする請求項４記載の受信装置。
【請求項６】
前記受信を中断したストリーム放送の配信元の前記ネットワーク上における位置を示すコンテンツ情報を記憶する記憶手段を備え、前記通信手段は前記記憶手段に記憶されたコンテンツ情報に基づいて前記ストリーム放送の受信を再開することを特徴とする請求項４記載の受信装置。
【請求項７】
前記切り替え指示手段は、複数チャンネルの前記テレビジョン放送にそれぞれ対応した複数のチャンネル指定キーを有し、これら複数のチャンネル指定キーのいずれかの操作に応じて前記テレビジョン放送へのチャンネル切り替えの指示を出力することを特徴とする請求項１記載の受信装置。
【請求項８】
前記制御手段は更に、前記通信手段により受信中の第１のストリーム放送とは異なる番組の第２のストリーム放送へのチャンネル切り替えの指示に応じて、前記第１のストリーム放送の受信を一時中断し、前記第２のストリーム放送の受信を開始するよう前記通信手段を制御すると共に、前記第２のストリーム放送に係る映像データを出力するよう前記出力手段を制御することを特徴とする請求項１記載の受信装置。
【請求項９】
前記制御手段は更に、前記第２のストリーム放送の受信中における前記テレビジョン放送へのチャンネル切り替えの指示に応じて、前記第２のストリーム放送の受信を一時中断するよう前記通信手段を制御すると共に、前記受信手段により受信されたテレビジョン放送に係る映像データを出力するよう前記出力手段を制御することを特徴とする請求項８記載の受信装置。
【請求項１０】
前記制御手段は更に、前記第１のストリーム放送あるいは前記第２のストリーム放送の受信が中断していることを示す情報を前記表示装置に出力するよう前記出力手段を制御することを特徴とする請求項９記載の受信装置。
【請求項１１】
前記制御手段は更に、前記第１のストリーム放送又は前記第２のストリーム放送へのチャンネル切り替えの指示に応じて、前記第１のストリーム放送又は前記第２のストリーム放送の受信をそれぞれ前記中断した位置より再開するよう前記通信手段を制御することを特徴とする請求項９記載の受信装置。
【請求項１２】
前記制御手段は更に、前記第１のストリーム放送あるいは前記第２のストリーム放送の受信が中断していることを示す画像情報を前記表示装置に表示するよう前記出力手段を制御し、前記切り替え指示手段は前記表示装置に表示された前記第１のストリーム放送及び第２のストリーム放送に対応した前記画像情報のうちの一方を選択することにより前記第１のストリーム放送又は前記第２のストリーム放送へのチャンネル切り替えの指示を出力することを特徴とする請求項１１記載の受信装置。
【請求項１３】
前記制御手段は、前記第１のストリーム放送の受信を再開したことに応じて前記第１のストリーム放送に対応した前記画像情報の表示を消去すると共に、前記第２のストリーム放送の受信を再開したことに応じて前記第２のストリーム放送に対応した前記画像情報の表示を消去するよう前記出力手段を制御することを特徴とする請求項１２記載の受信装置。
【請求項１４】
前記制御手段は、前記ストリーム放送から前記にテレビジョン放送へのチャンネル切り替えの指示に応じて、前記ストリーム放送の受信が中断していることを示す情報を前記表示装置に出力するよう前記出力手段を制御することを特徴とする請求項１記載の受信装置。
【請求項１５】
前記ネットワークはインターネットであり、前記ストリーム放送は前記インターネットに接続されたサーバより配信されることを特徴とする請求項１記載の受信装置。
【発明の詳細な説明】
【０００１】
【発明の属する技術分野】
本発明は、受信装置に関し、特には、ネットワークを介してストリーム放送を受信可能な装置に関する。
【０００２】
【従来の技術】
近年、映像・音声データの圧縮技術の向上と、ＡＤＳＬや光ファイバーを用いたネットワーク回線の大容量化に伴い、インターネット回線を介してサーバから映像・音声データを配信するインターネット放送が実現されている。
【０００３】
また、インターネット放送に関して、始めにデータを数秒間バッファリング処理するだけで再生が始まり、以降、継続的にデータを受信しながら再生を続けることが可能なストリーミング再生と呼ばれる技術が普及している。なお、この様なストリーミング再生を利用して視聴できる番組を、ストリームコンテンツと呼び、サーバからインターネットを介して送信される映像・音声データをストリームデータと呼ぶことにする。
【０００４】
この様なインターネット放送は、現在パーソナルコンピュータにより視聴するのが一般的である。一方、地上波テレビ放送やＢＳデジタル放送など通常のテレビ放送は専用のテレビ受信機により視聴している。
【０００５】
そこで、テレビ受信機に対してインターネット接続機能を設け、テレビ受信機のみで通常のテレビジョン放送とインターネット放送とを視聴することが、例えば、特開２００１−９４９６６で提案されている。
【０００６】
【発明が解決しようとする課題】
しかし、一台のテレビ受信機にてインターネット放送と通常のテレビジョン放送とを視聴しようとした場合、以下の様な問題が考えられる。
【０００７】
即ち、ストリームコンテンツの視聴を中断してテレビジョン放送番組を視聴する場合、再生中のストリームコンテンツの一時停止操作、テレビ視聴画面への切り替え操作、更には、所望のテレビ番組へのチャンネル切り替え操作などを行う必要があり、非常に手間がかかることになる。
【０００８】
本発明は前述の如き問題を解決することを目的とする。
【０００９】
本発明の他の目的は、ストリームコンテンツとテレビジョン放送とを容易に切り替えて視聴可能とする処にある。
【００１０】
【課題を解決するための手段】
前述の課題を解決するため、本発明にあっては、ネットワークを介してストリーム放送を受信する通信手段と、テレビジョン放送を受信する受信手段と、前記ストリーム放送に係る映像データと前記テレビジョン放送に係る映像データとを表示装置に出力する出力手段と、放送チャンネルの切り替えを指示する切り替え指示手段と、前記ストリーム放送の受信中における、前記切り替え指示手段による前記テレビジョン放送へのチャンネル切り替えの指示に応じて、前記受信手段により受信されたテレビジョン放送に係る映像データを前記表示装置に出力するよう前記出力手段を制御すると共に、前記ストリーム放送の受信を一時中断するよう前記通信手段を制御する制御手段とを備える受信装置が提示される。
【００１１】
【発明の実施の形態】
（第１の実施形態）
以下、図面を用いて本発明の実施形態について詳細に説明する。
【００１２】
図４は本発明にかかるテレビ受信システムの構成を示すブロック図である。
【００１３】
図４のシステムは、受信機１０１及びリモコン１３４から構成される。
【００１４】
回線接続を行いインターネット１３０の利用を提供する回線接続サーバ１３１と、ＨＴＭＬ文書情報を保持し、ＨＴＭＬ文書情報を送信するＷＥＢサーバ１３２と、コンテンツのストリームデータを保持し、ストリームデータを送信するストリーム配信サーバ１３３、及び、これら回線接続サーバ１３１、ＷＥＢサーバ１３２、ストリーム配信サーバ１３３と通信してストリームデータを受信する受信機１０１とが、インターネット１３０にそれぞれ接続されている。
【００１５】
まず、受信機１０１の内部ブロックを説明する。
【００１６】
通信部１１２はインターネット１３０を利用するために回線接続サーバ１３１に接続し、ＷＥＢサーバ１３２からＨＴＭＬ文書情報やコンテンツ情報を受信する。加えて、ストリーム配信サーバ１３３との間では、セッションの確立要求及び応答の通信を行い、コンテンツの再生等の制御要求及び応答の通信を行い、ストリームデータの受け渡しを行う。
【００１７】
ＨＴＭＬブラウザ部１１０は後述するシステム制御部１０８からの指示により、通信部１１２から受け取ったＨＴＭＬ文書情報を保持し、このＨＴＭＬ文書情報やユーザＩＦ部１０９からのフォーカス位置情報に基づいて表示画面を構成して表示音声制御部１０５へ出力する。また、システム制御部１０８より選択決定要求を受けた場合、画面上でフォーカスしている画像領域のリンク情報に基づき、通信部１１２を介してＷＥＢサーバ１３２と通信してコンテンツ情報やＨＴＭＬ文書情報を取得する。
【００１８】
ＦＩＦＯ（Ｆｉｒｓｔ　Ｉｎ　Ｆｉｒｓｔ　Ｏｕｔ）メモリ１０２は、通信部１１２を介して受信するストリームデータを比較的短い所定時間分だけ一時的に蓄積した後、後段のバッファメモリ１０３に渡す。バッファメモリ１０３はＦＩＦＯ１０２からのストリームデータを蓄積し、デコーダ１０４へ順次渡す。デコーダ１０４は受け取ったストリームデータの復号及び再生処理を行い、表示音声制御部１０５へ出力する。
【００１９】
一方、アンテナ１４０はデジタルテレビ放送波を受信し、入力端子１１３を介してテレビ信号処理部１１４に出力する。テレビ信号処理部１１４はアンテナ１４０から入力したデジタルテレビ信号を受信し、システム制御部１０８からのチャンネル切り替え要求を受けて所望のチャンネル番組の映像データ及び音声データをデコードし、表示音声制御部１０５へ出力する。尚、本形態において、アンテナ１４０及びテレビ信号処理部１１４はデジタルテレビ放送波のみを扱っているが、アナログテレビ放送の受信機能を持つことも勿論可能である。
【００２０】
表示音声制御部１０５はシステム制御部１０８の指示により、図２のポータルサイトに係るＨＴＭＬ画面、あるいは、図３のストリーム視聴画面、テレビ視聴画面を生成すると共にこれらを切り替えて、それぞれ画面の映像データと音声データを表示部１０６と音声出力部１０７に出力する。
【００２１】
コンテンツ情報記憶部１１１は、受信したコンテンツ情報を保持する。
【００２２】
また、ユーザインターフェース部１０９（以下、ユーザＩＦ部と呼ぶ）は、リモコン１３４からのポータルサイトボタン操作信号、フォーカス移動ボタン操作信号、決定ボタン操作信号、ストリームコンテンツボタン操作信号、テレビチャンネル切り替え信号、ストリームの再生、停止等の制御信号に応じて、それぞれポータルサイトのＵＲＬへのアクセスを指示するポータルサイトアクセス要求、フォーカス位置情報、選択決定要求、ストリームコンテンツ視聴画面切り替え要求、テレビ視聴画面切り替え要求、及び各種制御要求をシステム制御部１０８に渡す。尚、本形態においてはリモコン１３４により各種の指示を与えるが、受信機１０１本体に各操作ボタンを設ける構成でもよい。
【００２３】
システム制御部１０８は、ユーザＩＦ部１０９からのポータルサイトアクセス要求、フォーカス位置情報、選択決定要求をＨＴＭＬブラウザ部１１０に出力し、ＷＥＢサーバ１３２と通信するようＨＴＭＬブラウザ部１１０を制御する。また、ＨＴＭＬブラウザ部１１０が取得したコンテンツ情報をコンテンツ情報記憶部１１１に格納する。
【００２４】
また、ストリーム配信サーバ１３３に対してストリームデータの再生、停止等を要求し、通信部１１２が受信したストリームデータをＦＩＦＯ１０２へ渡すと共に、そのタイムスタンプ情報を監視し、ストリームデータを受信する度にタイムスタンプ情報を内部のメモリに格納する。また、システム制御部１０８はユーザＩＦ部１０９からのテレビチャンネル切り替え信号等により、表示音声制御部１０５からの出力画像を切り替える。
【００２５】
また、ストリームデータの再生状態を示す１ビットの再生フラグを生成して内部のレジスタに記憶する。ここで、再生フラグが０ならばストリームコンテンツの再生を終了したことを示し、再生フラグが１ならばストリームコンテンツの再生を開始したことを示している。但し、初期値は０であり、ユーザが再生停止を指示した場合やストリーム再生終了時に０にする。
【００２６】
また、システム制御部１０８は通信部１１２、ＨＴＭＬブラウザ部１１０、ＦＩＦＯ１０２、バッファ部１０３、デコーダ部１０４、表示音声制御部１０５、ユーザＩＦ部１０９を制御する。
【００２７】
図３はリモコン１３４の様子を示す図であり、赤外線コマンド送信部３０１、電源ボタン３０２、停止ボタン３０３、一時停止ボタン３０４、再生ボタン３０５、巻き戻しボタン３０６、早送りボタン３０７、ポータルサイトボタン３０８、ストリームコンテンツボタン３２３、テレビチャンネルボタン３１４−３２２、フォーカス移動ボタン３０９、３１０、３１１、３１２、決定ボタン３１３とで構成される。
【００２８】
電源ボタン３０２は受信機１０１の電源を投入、切断するトグル式ボタンであり、ポータルサイトボタン３０８は所定のポータルサイトに接続し、ポータルサイト画面の表示を指示するボタンである。フォーカス移動ボタン３０９、３１０、３１１、３１２はポータルサイト画面においてフォーカスの移動を指示するボタンであり、決定ボタン３１３はフォーカスした部分の選択を指示するボタンである。停止ボタン３０３、一時停止ボタン３０４、再生ボタン３０５、巻き戻しボタン３０６、早送りボタン３０７はストリームコンテンツの各種制御ボタンである。ストリームコンテンツボタン３２３はストリームコンテンツの視聴画面への切り替えを指示するボタンである。ＴＶチャンネルボタン３１４−３２２は所望のＴＶチャンネルの視聴画面への切り替えを指示するボタンである。そして、リモコン１３４は、以上の各種ボタンの操作信号を送信部３０１から赤外線等によりユーザＩＦ部１０９へ送信する。
【００２９】
次に、図１の装置におけるストリーム放送の受信及びデジタルテレビ放送の受信処理について説明する。
【００３０】
電源投入後、リモコン１３４により所望のＴＶチャンネルを指定すると、システム制御部１０８はテレビ信号処理部１１４を制御し、指定されたチャンネルのＴＶ放送信号を受信し、指定された番組の画像データと音声データを得る。そして、システム制御部１０８は表示音声制御部１０５を制御し、テレビ信号処理部１１４からの画像信号に基づいて生成した表示画面のデータを表示部１０６に出力すると共に、音声データを音声出力部１０７に出力する。
【００３１】
また、この様にテレビ番組を視聴中にユーザがリモコン１３４のポータルサイトボタン３０８を操作すると、ユーザＩＦ部１０９がポータルサイト接続要求信号をシステム制御部１０８に出力する。その信号を受けたシステム制御部１０８は通信部１１２に対してポータルサイト接続を指示し、通信部１１２を介して回線接続サーバ１３１とインターネット回線を接続する。
【００３２】
次に、通信部１１２を介してＷＥＢサーバ１３２からポータルサイトのＨＴＭＬ文書を取得するよう、ＨＴＭＬブラウザ部１１０を制御する。ＨＴＭＬ文書を取得したＨＴＭＬブラウザ部１１０はＨＴＭＬ画面を生成し、表示音声制御部１０５に出力する。システム制御部１０８は表示音声制御部１０５を制御し、図４の如きポータルサイト画面４０１を表示部１０６に出力する。
【００３３】
次に、ユーザがリモコン１３４を操作して、ポータルサイトの表示画面４０１上でフォーカスを移動して「自然」４０６を選択すると、ＨＴＭＬブラウザ部１１０によって、図４の如く自然カテゴリに関するコンテンツのサムネール画像、３５９、３６０、３６１、３６２を表示する。更に、この表示画面上でフォーカス移動ボタン３０９、３１０、３１１、３１２を操作することにより、「野生の大国」４０９にフォーカス４０３を移動させ、更に決定ボタン３１３を操作すると、ユーザＩＦ部１０９が決定要求信号をシステム制御部１０８に出力する。
【００３４】
その信号を受けたシステム制御部１０８は、コンテンツ情報を取得するようＨＴＭＬブラウザ部１１０を制御し、選択されたコンテンツに関するストリーム配信サーバの位置やコンテンツ名、プロトコルが記述されているコンテンツ情報を取得する。そして、取得したコンテンツ情報をコンテンツ情報記憶部１１１に格納する。
【００３５】
続いて、システム制御部１０８は、取得したコンテンツ情報を元に、コンテンツ情報に指定されたストリーム配信サーバ１３３に対し接続（セッション）を確立し、再生フラグ記憶部１１６の再生フラグを１にする。このとき、ＲＴＳＰ（Ｒｅａｌ　Ｔｉｍｅ　Ｓｔｒｅａｍｉｎｇ　Ｐｒｏｔｏｃｏｌ）等のプロトコルによりストリームコンテンツの再生、停止、早送り、巻き戻し棟の制御が可能となる。
【００３６】
再生要求に応じたストリーム配信サーバ１３３はコンテンツの再生終了時間等の情報を含む応答を送信し、ＵＤＰ（Ｕｓｅｒ　Ｄａｔａｇｒａｍ　Ｐｒｏｔｏｃｏｌ）等のプロトコルによってストリームデータの送信を開始する。システム制御部１０８はこのとき送信された再生終了時間の情報を内部のメモリに記憶する。また、ストリーム配信サーバ１３３からコンテンツデータの配信が開始されると、これをＦＩＦＯ１０２、バッファメモリ１０３を介してデコーダ１０４に送ってデコードし、表示音声制御部１０６に出力する。そして、システム制御部１０８は表示音声制御部１０５を制御して、テレビ放送の表示画面から、デコーダ１０４からのストリームコンテンツの表示画面に切り替え、デコーダ１０４からの画像データを表示部１０６に出力すると共に、デコーダ１０４からの音声データを音声出力部１０７に出力する。
【００３７】
また、システム制御部１０８は、ストリームデータを受信する度にこのストリームデータに付加されたタイムスタンプ情報を検出し、内部のメモリに記憶する。
【００３８】
図５はストリーム放送の表示画面の様子を示す図であり、本形態では、受信しているストリーム放送の再生終了時間と現在受信中のストリームデータのタイムスタンプより現在の再生位置を示すバー情報４２２を表示する。
【００３９】
そして、システム制御部１０８は、バッファメモリ１０３に記憶されているストリームデータのデータ量を監視しながら、通信部１１２を介して所定量づつストリームデータの送信要求及び受信を繰り返し、受信されたストリームデータの再生処理及びタイムスタンプの記憶処理を繰り返す。
【００４０】
その後、図８の画面４３１の如きストリームコンテンツの視聴中に、ＴＶ番組を視聴するためにユーザがリモコン１３４のチャンネルボタン３１９を操作すると、まず、システム制御部１０８はテレビ信号処理部１１４を制御し、チャンネル「ＢＳ８」の放送データを受信し、受信したＴＶ放送番組の映像、音声データを得る。
【００４１】
次に、再生フラグが１であることから、ストリームコンテンツを視聴中であると判断し、視聴を中断するため、コンテンツ情報記憶部１１１中のコンテンツ情報を元に、通信部１１２を介してストリーム配信サーバ１３３に対し一時停止を要求する。
【００４２】
そして、システム制御部１０８は表示音声制御部１０５を制御し、表示部１０５の表示画面をテレビ信号処理部１１４からのＴＶ放送番組の画像データに切り替える。このときの表示画面の様子を図６の画面４４０に示す。
【００４３】
ストリーム配信サーバ１３３は、一時停止要求を受けるとストリームコンテンツデータの送信を停止すると共に、要求先の受信機のＩＤと停止位置情報、例えばタイムスタンプを対応付けて保持する。
【００４４】
次に、この様にストリームデータの再生を中断してＴＶ放送番組を表示している状態で、ストリームデータの再生を再開する際の処理について説明する。
【００４５】
ＴＶ放送番組を表示している状態でユーザがリモコン１３４のストリームコンテンツボタン３２３を操作すると、システム制御部１０８は再生フラグの値を調べる。ここでは再生フラグが１であるので、先に視聴を中断したストリームコンテンツがあると判断し、その続きから再生を開始するため、システム制御部１０８はコンテンツ情報記憶部１１１中のコンテンツ情報を元に、ストリーム配信サーバ１３３に対し再生を要求する。
【００４６】
ストリーム配信サーバ１３３は受信機１０１からの再生要求を受けると、送信された受信機のＩＤと先に保持していたＩＤとを比較し、対応する再生開始位置よりストリームデータの送信を再開する。
【００４７】
システム制御部１０８は受信部１１２によりストリームデータを受信すると、これをＦＩＦＯ１０２、バッファメモリ１０３を介してデコーダ１０４に送り、ストリームコンテンツの画像データを生成して表示音声制御部１０５に出力する。そして、表示音声制御部１０５を制御して、表示部１０６の表示画面をＴＶ放送番組からストリームコンテンツの画像に切り替える。
【００４８】
図２は、ユーザがポータルサイト画面においてコンテンツを選択操作した時の、受信機１０１のシステム制御部１０８が行う処理を示すフローチャートである。
【００４９】
まず、ポータルサイト上のコンテンツを選択決定する決定要求信号をユーザＩＦ部１０９から受信すると、ＨＴＭＬブラウザ部１１０にフォーカス位置情報と決定要求を出力し、選択されたストリームコンテンツに関するコンテンツ情報を取得する（ステップＳ２０１）。そして、取得したコンテンツ情報をコンテンツ情報記憶部１１１に格納する（ステップＳ２０２）。
【００５０】
次に、そのコンテンツ情報に基づきストリーム配信サーバ１３３とセッションを確立し（ステップＳ２０３）、ストリーム配信サーバ１３３に対して再生を行うように要求して（ステップＳ２０４）、再生フラグを１に変更する（ステップＳ２０５）。次に、表示音声制御部１０５の出力をデコーダ部１０４からの画像データ、即ちストリーム視聴画面に変更し、処理を終了する（ステップＳ２０６）。
【００５１】
図７は、リモコン１３４のチャンネルボタン３１９を操作した際のシステム制御部１０８が行う処理を示すフローチャートである。
【００５２】
ユーザＩＦ部１０９を介してチャンネルボタン３１９を操作した信号を受信すると、チャンネルボタン３１９に対応するチャンネル番号の放送データをデコードするようテレビ信号処理部１１４を制御する（ステップＳ７０１）。次に、再生フラグをチェックし（ステップＳ７０２）、再生フラグが１ならば、ストリーム配信サーバ１３３に対して一時停止要求を行う（ステップＳ７０３）。そして、表示音声制御部１０５を制御して表示部１０５の表示画面をテレビ信号処理部１１４からのＴＶ放送番組の画面に変更する。また、ステップＳ７０２において、再生フラグが０である場合、テレビ信号処理部１０４を制御し、指定されたチャンネルのデータを受信して表示部１０５に表示する（ステップＳ７０５）。
【００５３】
図８は図７においてＴＶ放送番組に切り替えた後、ストリームコンテンツボタン３２３を操作した際のシステム制御部１０８が行う処理を示すフローチャートである。
【００５４】
ユーザＩＦ部１０９を介してストリームコンテンツボタン３２３を操作した信号を受信すると、再生フラグをチェックし（ステップＳ８０１）、再生フラグが０ならばコンテンツ情報記憶部１１１に記憶されているコンテンツ情報に基づき、ストリーム配信サーバ１３３に対してストリームデータの再生を要求する（ステップＳ８０２）。そして、ストリームデータを受信すると、表示音声制御部１０５を制御して、表示部１０５の表示画面をデコーダ１０４からのストリーム放送画面に切り替える（ステップＳ８０３）。また、ステップＳ８０１において、再生フラグが０である場合、再生を一時中断しているストリームコンテンツが存在しないと判断して処理を終了する。
【００５５】
このように、本形態では、ストリームコンテンツの視聴から、ＴＶ放送番組の視聴に切り替える際、ＴＶチャンネルの切り替え操作のみで所望のチャンネルのＴＶ放送番組を表示することが可能である。また、その後、ストリームコンテンツボタンの操作のみで、ストリームコンテンツの視聴画面に切り替えることができる。そして、このとき、以前に視聴を停止した位置の続きからストリームコンテンツの視聴を再開することが可能である。
【００５６】
（第２の実施形態）
次に、第２の実施形態について説明する。図９は、本形態に係る受信システムの構成を示すブロック図であり、図１と同様の構成は同一番号を付してある。
【００５７】
まず、受信機１０１の内部ブロック図を説明する。
【００５８】
本形態では、ＦＩＦＯ１０２、バッファメモリ１０３、デコーダ１０４はそれぞれ、複数チャンネル分のストリームデータを処理可能な機能を持つ。
【００５９】
テーブル記憶部１１７は図１０の如きテーブルを保持する。図１０のテーブルは、１から順番に割り付けられたコンテンツＮｏ．と、コンテンツＮｏ．に対応する再生状態と、コンテンツＮｏ．に対応するコンテンツ情報とから構成される。尚、再生状態は、図１０（ａ）に示すように、初期値や、ユーザが停止要求を行った時や、ストリーム再生終了時に「終了」になり、その時のコンテンツ情報は不定値である。また、再生状態はこの他に、「一時停止」及び「再生」という値をとる。
【００６０】
アイコン発生器１１５は、ストリームコンテンツの視聴を中断したことを示すアイコン画像を生成する。フォーカス発生器１１６は、アイコン画像に描画するフォーカス画像を生成する。
【００６１】
次に、本形態の受信装置１０１におけるシステム制御部１０８について説明する。
【００６２】
システム制御部１０８はリモコン１３４からの指示に応じてテーブル記憶部１１７のテーブルの値を変更する。そして、テーブル中のコンテンツ情報に従い、ストリーム配信サーバ１３３に対し、再生や一時停止などを要求すると共に、テーブル中の状態に従いアイコン発生器１１５で生成したアイコン画像をフォーカス発生器１１６からのフォーカス画像と供に表示音声制御部１０５に出力する。
【００６３】
図１１は、本形態におけるリモコン１３４を示す図である。図１１のリモコンは、図３のリモコン１３４に対してストリームコンテンツボタン３２３を除いた構成となっている。
【００６４】
次に、ストリーム放送データの受信切り替えに伴う本形態の処理について説明する。
【００６５】
前述のように、ポータルサイトの接続が指示され、図４の如きポータルサイト画面を表示部１０５に表示している際に、ユーザが、コンテンツ「野生の大国」４０９の選択操作を行うと、ＨＴＭＬブラウザ部１１０によりＷＥＢサーバ１３２から、コンテンツ情報
「ｒｔｓｐ：／／ａｕｄｉｏ．ｃｏｎｔｅｎｔｓ．ｃｏｍ／ｙａｓｅｉ＿ｎｏ＿ｔａｉｋｏｋｕ／ａｕｄｉｏ．ｅｎ
，ｒｔｓｐ：／／ｖｉｄｅｏ．ｃｏｎｔｅｎｔｓ．ｃｏｍ／ｙａｓｅｉ＿ｎｏ＿ｔａｉｋｏｋｕ／ｖｉｄｅｏ」
を取得する。
【００６６】
システム制御部１０８は、テーブル記憶部１１７のテーブルにおいて、再生状態が「終了」であるコンテンツ、例えば図１０（ａ）におけるＮｏ．１に対応するコンテンツ情報に格納する。
【００６７】
そして、システム制御部１０８は、取得したコンテンツ情報に基づいてストリーム配信サーバ１３３に対しセッションを確立した後、ストリームコンテンツの再生要求を行い、図１０（ａ）に示したテーブルにおけるコンテンツＮｏ．１の再生状態の値を「再生」に変更する。再生要求に応じたストリーム配信サーバ１３３は、ストリームデータの送信を開始する。この時テーブル記憶部１７７２記憶されているテーブルを図１０（ｂ）に示す。次に、システム制御部１０８は、表示音声制御部１０５を制御し、表示部１０６の表示画面をストリームデータの視聴画面に切り替え、図５の如く受信したストリームデータを再生表示する。
【００６８】
この様にストリームデータの視聴を続けた後、図１２の画面６０１の如きストリーム視聴画面において、ＴＶ放送番組を視聴するためにリモコン１３４のチャンネルボタン３１９を操作すると、システム制御部１０８は第１の実施形態と同様にテレビ信号処理部１１４を制御し、チャンネル「ＢＳ８」のデータを受信してデコード処理を行う。
【００６９】
このとき、システム制御部１０８は、ストリームコンテンツの再生を中断するため、テーブル記憶部１１７において再生状態が「再生」である図１０（ｂ）のコンテンツＮｏ．１を探し出し、次に、コンテンツＮｏ．１に対応したコンテンツ情報に指定されたストリーム配信サーバ１３３に対し、一時停止を要求する。一時停止要求を受けたストリーム配信サーバ１３３はストリームデータの送信を中断し、システム制御部１０８は、テーブル記憶部１１７のテーブルにおけるコンテンツＮｏ．１の再生状態を「一時停止」に変更する。この時のテーブルの様子を図１０（ｃ）に示す。
【００７０】
そして、システム制御部１０８は、表示音声制御部１０５を制御して表示部１０６の表示画面をＴＶ放送番組の視聴画面に切り替える。更に、テーブル記憶部１１７のテーブルにおいて再生状態が「一時停止」のコンテンツＮｏ．１を検索し、そのＮｏ．を元にアイコン発生器１１５を制御してストリームデータの再生を中断したことを示すアイコン画像を生成すると共にフォーカス発生部１１６を制御してフォーカス画像を生成し、このアイコン画像及びフォーカス画像を多重してＴＶ放送番組の視聴画面上に合成表示する。
【００７１】
図１２の画面６１１はこのときの表示画面の様子を示している。画面６１１において、６１２はアイコン画像、６１３はフォーカス画像である。尚、本形態では、複数のアイコンを表示した時に区別できるようアイコン６１２に「ストリーム１」と記述しているが、他の画像でも構わない。
【００７２】
そして、このＴＶ視聴画面上でリモコン１３４を操作してアイコン６１２を選択した場合には、システム制御部１０８はテーブル記憶部１１７に記憶されたテーブルよりストリーム１に対応したコンテンツ情報に指示されたコンテンツ配信サーバ１３３に対してストリームデータの送信を要求し、ストリームデータが送信されるとこれをデコーダ１０４によりデコードし、ＴＶ放送番組の視聴画面に代わってストリームコンテンツの視聴画面を表示部１０６に表示する。
【００７３】
また、図１２の画面６１１を表示している状態で、ユーザがリモコン１３４のポータルサイトボタン３０８操作すると、システム制御部１０８はＨＴＭＬブラウザ部１１０を制御し、再び図４の如きポータルサイト画面を生成して表示部１０６に表示する。そして、図１３の如く、ユーザがコンテンツ「植物百選」８１２にフォーカス８０３を移動させ選択操作を行うと、ＨＴＭＬブラウザ部１１０によりＷＥＢサーバ１３２から、コンテンツ情報
「ｒｔｓｐ：／／ａｕｄｉｏ．ｃｏｎｔｅｎｔｓ．ｃｏｍ／ｓｈｏｋｕｂｕｔｓｕ＿ｈｙａｋｕｓｅｎ／ａｕｄｉｏ．ｅｎ
，ｒｔｓｐ：／／ｖｉｄｅｏ．ｃｏｎｔｅｎｔｓ．ｃｏｍ／ｓｈｏｋｕｂｕｔｓｕ＿ｈｙａｋｕｓｅｎ／ｖｉｄｅｏ」
を取得する。そして、テーブル記憶部１１７のテーブルにおいて再生状態が「終了」であるコンテンツ、ここでは図１０（ｃ）におけるＮｏ．２に対応するコンテンツ情報欄に格納する。
【００７４】
次に、システム制御部１０８は、取得したコンテンツ情報に基づいてストリーム配信サーバ１３３に対しセッションを確立した後、ストリームコンテンツの再生を要求する。そして、図１０（ｃ）に示したコンテンツＮｏ．２の再生状態を「再生」に変更する。再生要求を受けたストリーム配信サーバ１３３はストリームデータの送信を開始する。この時テーブル記憶部１１７に記憶されているテーブルの様子を図１０（ｄ）に示す。
【００７５】
次に、システム制御部１０８は、表示音声制御部１０５を制御して表示部１０６の表示画面をストリーム視聴画面に切り替え、現在再生中のストリームコンテンツに加えて、他のストリームコンテンツを視聴中であることをユーザに提示するため、テーブル記憶部１１７に記憶されているテーブルから、再生状態が「一時停止」であるコンテンツＮｏ．１を検索する。そして、そのＮｏ．に基づいてアイコン発生部１１５を制御してアイコン画像を生成すると共に、フォーカス発生部１１６を制御してフォーカス画像を生成し、このアイコン画像及びフォーカス画像を多重してＴＶ放送番組の視聴画面上に合成表示する。
【００７６】
図１４はこのときの表示画面の様子を示している。図１４において、８２３はアイコン画像、８２４はフォーカス画像である。
【００７７】
この様にストリームデータの視聴を続けた後、図１５の画面８４１の如きストリーム視聴画面において、ユーザが、ＴＶ放送番組を視聴するためにリモコン１３４のチャンネルボタン３１９を操作すると、システム制御部１０８は、第１の実施形態と同様にテレビ信号処理部１１４を制御し、チャンネル「ＢＳ８」のデータを受信してデコード処理を行う。
【００７８】
また、システム制御部１０８は、ストリームコンテンツの再生を中断するため、テーブル記憶部１１７に記憶されている図１０（ｄ）のテーブルにおいて、再生状態が「再生」であるコンテンツＮｏ．２を探し出す。次に、コンテンツＮｏ．２に対応したコンテンツ情報にて指定されたストリーム配信サーバ１３３に対して一時停止を要求する。
【００７９】
一時停止要求を受けたストリーム配信サーバ１３３はストリームデータの送信を中断し、システム制御部１０８は、テーブル中のコンテンツＮｏ．２の再生状態を「一時停止」に変更する。この時テーブル記憶部１１７に記憶されているテーブルの様子を図１０（ｅ）に示す。
【００８０】
次に、システム制御部１０８は、表示音声制御部１０５を制御して表示部１０６の表示画面をＴＶ放送番組の視聴画面に切り替える。そして、テーブル記憶部１１７に記憶されている図１０（ｅ）のテーブルにおいて、再生状態が「一時停止」であるコンテンツＮｏ．１及びＮｏ．２を検索し、そのＮｏ．を元にアイコン発生部１１５を制御してこれらＮｏ．１とＮｏ．２を示すアイコン画像をそれぞれ生成すると共に、フォーカス生成部１１６を制御してフォーカス画像データを生成し、これらアイコン画像及びフォーカスを多重してＴＶ視聴画面上に合成表示する。
【００８１】
図１５の画面８６１はこのときの表示画面の様子を示す図である。画面８６１では、ストリーム１のアイコン８６２、ストリーム２のアイコン８６３とフォーカス画像８６４を合成表示する。
【００８２】
ユーザはリモコン１３４の方向キー３１０、３１１を操作することによりフォーカス画像８６４をアイコン８６２及び８６３の間で移動可能であり、ＴＶ放送番組を視聴中に所望のストリームコンテンツを示すアイコン、例えば、「ストリーム２」のアイコン８６３にフォーカス画像８６４を移動して選択した場合、システム制御部１０８はテーブル記憶部１１７に記憶されている図１０（ｅ）に示したテーブルにおいて、Ｎｏ．２に対応したコンテンツ情報に指定されたコンテンツ配信サーバ１３３に対し、ストリームコンテンツデータの送信を要求する。
【００８３】
コンテンツ配信サーバ１３３は受信機１０１から送信要求を受けると、前回再生を停止した位置よりストリームデータの送信を再開する。システム制御部１０８はストリーム２のデータが送信されると、これをデコーダ１０４にてデコードし、図１５の画面８４１の如きストリーム視聴画面をＴＶ放送の視聴画面の代わりに表示部１０６に表示する。
【００８４】
また、ストリーム１のアイコン８６２を選択した場合、同様に図１０（ｅ）のテーブルよりＮｏ．１のコンテンツ情報を読み出してストリーム１のコンテンツデータの送信を要求する。そして、ストリーム１のストリームデータを受信すると、このストリームデータをデコードしてストリーム放送の視聴画面を生成すると共に、ストリーム２を示すアイコンを生成し、表示部１０６の表示画面を、図１６の画面８６１の如く「ストリーム２」のアイコン８８３とフォーカス画像８８４を合成表示した「野生の大国」のストリーム視聴画面に切り替え、ストリームデータの視聴を再開する。
【００８５】
図１７は、ポータルサイト画面においてコンテンツを選択操作した時のシステム制御部１０８が行う処理を示すフローチャートである。
【００８６】
ポータルサイト上のコンテンツを選択決定する決定要求信号をユーザＩＦ部１０９から受信すると、ＨＴＭＬブラウザ部１１０にフォーカス位置情報、決定要求を出力し、コンテンツ情報を取得する（ステップＳ１７０１）。次に、テーブル記憶部１１７に記憶されているテーブルにおいて、再生状態が「終了」となっているコンテンツが存在するか否かを判断し（ステップＳ１７０２）、存在すれば、取得したコンテンツ情報を再生状態が「終了」となっているコンテンツＮｏ．Ｘ（Ｘは任意の数）に対応するコンテンツ情報欄に格納する（ステップＳ１７０３）。
【００８７】
次に、そのコンテンツ情報に基づき、ストリーム配信サーバ１３３とセッションを確立する（ステップＳ１７０４）。次に、ストリーム配信サーバ１３３に対して再生を要求し（ステップＳ１７０５）、テーブル中のコンテンツＮｏ．Ｘに対応する再生状態を「再生」に変更する（ステップＳ１７０６）。次に、表示音声制御部１０５を制御し、表示部１０６の表示画面をデコーダ１０４からのコンテンツＮｏ．Ｘのストリームデータ、即ちストリーム視聴画面に切り替える（ステップＳ１７０７）。また、ステップＳ１７０２の処理において、再生状態が「終了」のコンテンツがテーブル内に存在しなければ、その旨を示す情報を表示部１０６に表示して処理を終了する（ステップＳ１７０８）。
【００８８】
図１８は、リモコン１３４のチャンネルボタン３１９を操作した際のシステム制御部１０８が行う処理を示すフローチャートである。
【００８９】
ユーザＩＦ部１０９を介し、リモコン１３４のチャンネルボタン３１９を操作した信号を受信すると、チャンネルボタン３１９に対応するチャンネル番号の放送データをデコードするようテレビ信号処理部１１４を制御する（ステップＳ１８０１）。次に、テーブル記憶部１１７のテーブルにおいて、再生状態が「再生」となっているコンテンツが存在するか否かを判断し（ステップＳ１８０２）、存在すれば、再生状態が「再生」となっているテーブル中のコンテンツＮｏ．Ｘに対応するコンテンツ情報に基づき、ストリーム配信サーバ１３３に対して一時停止を要求する（ステップＳ１８０３）。そして、テーブル中のコンテンツＮｏ．Ｘに対応する再生状態を「一時停止」に変更し（ステップＳ１８０４）、更に表示音声制御部１０５を制御して、表示部１０６の表示画面をテレビ信号処理部１１４からのＴＶ番組の視聴画面に切り替える（ステップＳ１８０５）。
【００９０】
次に、テーブル中のコンテンツＮｏ．Ｘ以外において、再生状態が「一時停止」となっているが存在するか否かを判断し（ステップＳ１８０７）、存在すれば、アイコン発生部１１５でそのコンテンツＮｏ．に対応した数だけアイコン画像を作成してＴＶ番組の視聴画面に合成表示すると共に（ステップＳ１８０７）、フォーカス発生部１１６により生成したフォーカス画像を合成表示する（ステップＳ１８０８）。
【００９１】
また、ステップＳ１８０２において、テーブル中に再生状態が「再生」のコンテンツが存在しなければ、テレビ信号処理部１１４を制御して指定されたチャンネルに切り替え、処理を終了する（ステップＳ１８０９）。また、ステップＳ１８０６において、再生状態が「一時停止」のコンテンツが存在しない場合、そのまま処理を終了する。
【００９２】
図１９は、ストリームコンテンツの再生中断を示すアイコンを選択操作した時のシステム制御部１０８が行う処理を示すフローチャートである。
【００９３】
ストリームコンテンツの再生中断を示すアイコンを選択決定する決定要求信号をユーザＩＦ部１０９から受信すると、テーブル中のコンテンツのうち指定されたコンテンツＮｏ．Ｘに対応するコンテンツ情報に基づき、ストリーム配信サーバ１３３に対して再生を要求し（ステップＳ１９０１）、テーブル中のコンテンツＮｏ．Ｘに対応する再生状態を「再生」に変更する（ステップＳ１９０２）。
【００９４】
次に、表示音声制御部１０５を制御し、表示部１０６の表示画面をデコーダ１０４からのコンテンツＮｏ．Ｘのデータ、即ちストリーム視聴画面に切り替え（ステップＳ１９０３）、コンテンツＸのアイコン画像及びフォーカス画像を消去するよう表示音声制御部１０５を制御する（ステップＳ１９０４）。
【００９５】
次に、テーブル中に再生状態が「一時停止」となっているコンテンツが存在するか否かを判断し（ステップＳ１９０５）、存在すれば、アイコン発生部１１５によりコンテンツＮｏ．に対応した数のアイコン画像を作成し、表示音声制御部１０５によりストリーム視聴画面に合成表示し（ステップＳ１９０６）、更にフォーカス発生部１１６からのフォーカス画像を合成表示する（ステップＳ１９０７）。
【００９６】
また、ステップＳ１９０５の処理において、再生状態が「一時停止」のコンテンツが存在しなければ処理を終了する。
【００９７】
以上説明した様に、本形態によれば、ＴＶチャンネルの切り替え操作のみで表示画面をストリームコンテンツから所望のチャンネルのＴＶ放送番組に切り替えることが可能となる。また、その後、ストリームコンテンツボタンの操作のみで、ストリームコンテンツの視聴画面に切り替えることができる。そして、このとき、以前に視聴を停止した位置の続きからストリームコンテンツの視聴を再開することが可能である。
【００９８】
加えて、ＴＶ放送番組を視聴中であっても、再生を一時中断しているストリームコンテンツが存在することを示すアイコンを画面上に表示するので、ＴＶ放送の視聴中にも再生を中断しているストリームコンテンツが存在することをユーザが容易に認識可能となる。更に、そのアイコン画像を選択することにより、ＴＶ放送番組の視聴画面からストリームコンテンツの視聴画面への切り替えを行い、アイコン画像に対応したストリームコンテンツを中断時点から再生表示することが可能である。
【００９９】
尚、第１、第２の実施形態においては、ＴＶ視聴画面とストリーム視聴画面のいずれか一方を切り替えて表示していたが、図２０の如く同時に２画面を表示することが可能な受信機に対しても本発明を適用可能である。図２０において、９０２はＴＶ放送番組の視聴画面であり、９０３はストリーム視聴画面である。また、９０４はストリーム放送の再生位置を示すバーであり、９０５はフォーカス画像である。
【０１００】
図２０に示した２画面表示の状態でＴＶ放送番組とストリームコンテンツとを視聴している状態から、リモコンを操作してフォーカス画像９０５を移動し、ＴＶ放送視聴画面９０２を選択して選択すると、前述の如き手順によりストリーム視聴画面９０３に表示していたストリームデータの送信を一時停止すると共に、２画面表示からＴＶ視聴画面のみの表示に切り替え、図１２の画面６１１の様にストリームデータの再生を中断したことを示すアイコン画像６１２及びフォーカス画像６１３を合成表示する。
【０１０１】
また、２画面表示状態からストリーム視聴画面９０３を選択した場合、このストリームデータのみを表示するよう切り替える。
【０１０２】
【発明の効果】
以上説明したように、本発明においては、ストリーム放送からテレビジョン放送へのチャンネル切り替え指示に応じて、ストリーム放送の受信を一時停止してテレビジョン放送の映像を表示するので、テレビジョン放送への切り替え操作のみで、所望のチャンネルのテレビジョン番組を表示することが可能となる。
【図面の簡単な説明】
【図１】本発明が適用される受信システムの構成を示す図である。
【図２】チャンネル切り替えの処理を示すフローチャートである。
【図３】リモコンの様子を示す図である。
【図４】ポータルサイト画面を示す図である。
【図５】ストリーム放送画面を示す図である。
【図６】ストリーム放送画面とテレビ放送画面の切り替えの様子を示す図である。
【図７】チャンネル切り替えの処理を示すフローチャートである。
【図８】チャンネル切り替えの処理を示すフローチャートである。
【図９】本発明が適用される受信システムの他の構成を示す図である。
【図１０】コンテンツ情報テーブルの様子を示す図である。
【図１１】リモコンの様子を示す図である。
【図１２】ストリーム放送画面とテレビ放送画面の切り替えの様子を示す図である。
【図１３】ポータルサイト画面を示す図である。
【図１４】ストリーム放送画面を示す図である。
【図１５】ストリーム放送画面とテレビ放送画面の切り替えの様子を示す図である。
【図１６】ストリーム放送画面を示す図である。
【図１７】チャンネル切り替えの処理を示すフローチャートである。
【図１８】チャンネル切り替えの処理を示すフローチャートである。
【図１９】チャンネル切り替えの処理を示すフローチャートである。
【図２０】ストリーム放送とテレビジョン放送の表示画面を示す図である。
【図１】
2004120089.tif 000003
【図２】
2004120089.tif 000004
【図３】
2004120089.tif 000005
【図４】
2004120089.tif 000006
【図５】
2004120089.tif 000007
【図６】
2004120089.tif 000008
【図７】
2004120089.tif 000009
【図８】
2004120089.tif 000010
【図９】
2004120089.tif 000011
【図１０】
2004120089.tif 000012
【図１１】
2004120089.tif 000013
【図１２】
2004120089.tif 000014
【図１３】
2004120089.tif 000015
【図１４】
2004120089.tif 000016
【図１５】
2004120089.tif 000017
【図１６】
2004120089.tif 000018
【図１７】
2004120089.tif 000019
【図１８】
2004120089.tif 000020
【図１９】
2004120089.tif 000021
【図２０】
2004120089.tif 000022